(57)【要約】【課題】床ずれ防止エアマット等との併用が容易で、且つ、寝たままでも可能な運動療法によるリハビリを支援するおむつ交換補助具の提供。【解決手段】脚部２に立設した固定支柱３に、シリンダ装置４を介して昇降自在に設けられた昇降支柱５と、昇降支柱５の上部位置に支持された支持アーム６と、支持アーム６に外嵌された脚保持部８と、脚保持部８の長軸の端部側に上向き凸状の落下止め９を有し、更に、仰臥位、又は半座位（半仰臥位）等で脚保持部８に膝裏を載置し上昇された下肢が行う歩行に類似した屈伸動作を活かすリハビリ支援おむつ交換補助具１である。【選択図】図１
0003115283.tif 000002
【実用新案登録請求の範囲】
【請求項１】
脚部と、該脚部に立設した固定支柱と、該固定支柱に、シリンダ装置を介して昇降自在に設けられた昇降支柱と、該昇降支柱の上部位置に片持ち状態で支持されて実質的に水平方向へ延びた支持アームと、該支持アームに外嵌され患者等の膝の裏側に接する脚保持部と、該脚保持部の長軸の少なくとも一方の端部側に一体形成、又は別形成されて上向きに突出した凸状をなす落下止めとを具備し、前記脚保持部は、仰臥位にある患者等の屈曲した膝（立て膝）の裏と寝具上面との間に、該寝具の側面から挿入配置されて、前記支持アーム及び前記昇降支柱を介して上昇されることによって、前記患者等の下肢を屈曲状態に支持したまま前記患者等の臀部を前記寝具上面から浮上させることができるとともに、前記下肢の落下を前記落下止めの凸状の形状が防止するようにしたことを特徴とする、リハビリ支援おむつ交換補助具。
【請求項２】
仰臥位、又は半座位(半仰臥位)にある患者等において、前記脚保持部に屈曲状態で載置され上昇された下肢が、空中で保持され屈伸運動を反復した時、該屈伸運動を歩行動作とみなして歩数を表示するための歩数計を備えたことを特徴とする、請求項１記載のリハビリ支援おむつ交換補助具。
【請求項３】
前記脚部に、移動するための車輪を有することを特徴とする、請求項１、または２記載のリハビリ支援おむつ交換補助具。
【考案の詳細な説明】
【技術分野】
【０００１】
本考案は、健康・衛生分野における、おむつ交換および運動療法を補助するための、病弱者リフト装置に関するものである。
【背景技術】
【０００２】
おむつ交換においては、おむつ交換を必要とする患者、小児、被介護者等(以下、代表して患者と言う)を横臥位にさせて排泄物の処理をする昔ながらの方法が一般的であり、コツも体力も必要である。
看護や介護がらみの悲劇が繰り返される昨今、おむつ交換を容易にする補助具が、切実に必要とされている。
また、歩行補助具を使っても歩けず、寝たきり状態であっても、暑くて布団を蹴飛ばすなど、脚を動かすことができる患者もいるが、残された脚力を活かす機会は、殆ど無いに等しい現実がある。
【０００３】
従来、おむつ交換補助手段としては、金属製パイプ等で形成されたフレームに脚保持部を設け、患者の臀部を浮かせておく簡便な器具がさまざま提案されている（例えば、特許文献１参照）。
しかしながら、そのような器具を床ずれ防止エアマットの上に置いて使用した場合は、不安定であると同時に、器具の形状と重圧が、高価な床ずれ防止エアマットの弾性素材や空気弁等の寿命を短くするという問題が伴いがちであった。
【０００４】
そこで、ベッド頭端部に器具を固定したり、あるいは、ベッドの四つの手摺上に立設した縦横の枠組みからロープ類を吊し、ジャッキで患者の腰を持ち上げる方法も提案されている（例えば、特許文献２参照）。
しかし、ベッドの上からロープ類を吊すことは、それが患者に与える心理的な影響を懸念せざるをえない場合もあり、また、器具の取り付けを前提として補強されたベッドではないために、ベッドの強度や形状によっては、取り付けに適さないという問題もあった。
とりわけ、介護ベッドの場合は、レンタルが多く、各パーツは軽量化されており、器具取り付けの痕跡を、いささかでも残すのは、はばかられる状況がある。
ベッドの手すりを４つとも外さずにおむつ交換することの難しさもあり、また、不使用時に脇へ置いておく際の安定性の問題もあった。
【０００５】
そこで、器具を床に置き、介護ベッドの昇降機能を利用して患者の臀部を浮かせる方法も提案されている（例えば、特許文献３参照）。
すなわち、まず、ベッド面を高く上昇させた状態におき、仰臥した患者の横から、該患者の膝裏と寝具上面の間に脚保持部を水平方向に挿入して膝裏を載置し、そのままベッド面を下降させることによって足と臀部を浮かせる方法である。
しかしながら、介護ベッドを使用する通常のおむつ交換は、介護者の腰痛姿勢を防ぐためにベッド面を最高位付近まで上昇させて行われるので、逆にベッド面を下降させる方法では、介護者によっては、自然な姿勢を取れないという問題があった。
【０００６】
また、従来のおむつ交換において、患者は一方的に受け身の立場であり、身が縮む思いで羞恥と無力感に耐えている現実があった。たとえ、脚を動かすことができても、全く歩けない患者は、寝たきりで関節が固くなり、脚や臀部から、ふくらみが消え、床ずれができやすく、苦痛に苦痛を増して行くという問題があった。
回復や社会復帰の見込みがない患者は、リハビリの対象外とされ、薬漬け以外にないという問題も見られた。
【０００７】
さらに従来、健康を支援するための歩数計はあっても、まず、歩ける人達を対象としており、それに対し、たとえ全く歩けなくても、仰臥位等の、背側で体重を支えられた姿勢ならば、歩行に類似した空中足振り動作等(以下、歩行類似動作という)が可能な人達は、残された下肢の能力を活かす機会に恵まれないまま、廃用性萎縮が早々に進行する問題があった。
【特許文献１】特開２００１−２９３７６号公報
【特許文献２】特開平１０−２７７１０３号公報
【特許文献３】特開平１１−１９２２７１号公報
【考案の開示】
【考案が解決しようとする課題】
【０００８】
本考案は、床ずれ防止エアマットや介護ベッドとの併用を容易にし、デリケートな介護用品に硬い器具を載せたり取り付けたりすることなく、ベッドの上からロープ類を吊すことなく、昇降自在で、不使用時にも自立する器具であって、また、たとえ、歩くことは全くできなくても、仰臥位や半座位(半仰臥位)で歩行類似動作が可能な人達の、残された可能性を活かして、クオリティ・オブ・ライフを高める運動療法面のリハビリを支援するおむつ交換補助具の提供を課題とする。
【課題を解決するための手段】
【０００９】
本考案は、前記課題を解決するため、以下の構成とした。
すなわち、本考案のリハビリ支援おむつ交換補助具は、脚部と、該脚部に立設した固定支柱と、該固定支柱に、シリンダ装置を介して昇降自在に設けられた昇降支柱と、該昇降支柱の上部位置に片持ち状態で支持されて実質的に水平方向へ延びた支持アームと、該支持アームに外嵌され患者等の膝の裏側に接する脚保持部と、該脚保持部の長軸の少なくとも一方の端部側に一体形成、又は別形成されて上向きに突出した凸状をなす落下止めとを具備し、前記脚保持部は、仰臥位にある患者等の屈曲した膝（立て膝）の裏と寝具上面との間に、該寝具の側面から挿入配置されて、前記支持アーム及び前記昇降支柱を介して上昇されることによって、前記患者等の下肢を屈曲状態に支持したまま前記患者等の臀部を前記寝具上面から浮上させることができるとともに、前記下肢の落下を前記落下止めの凸状の形状が防止するようにしたことを特徴とする、リハビリ支援おむつ交換補助具に係るものである。
【００１０】
また、仰臥位、又は半座位(半仰臥位)にある患者等において、前記脚保持部に屈曲状態で載置され上昇された下肢が、空中で保持され屈伸運動を反復した時、該屈伸運動を歩行動作とみなして歩数を表示するための歩数計を備えたことを特徴とする、請求項１記載のリハビリ支援おむつ交換補助具に係るものである。
【００１１】
また、前記脚部に、移動するための車輪を有することを特徴とする、請求項１、または２記載のリハビリ支援おむつ交換補助具に係るものである。
【考案の効果】
【００１２】
本考案は、上記の構成により、課題であった床ずれ防止エアマットや介護ベッドとの併用が一層容易になり、また、たとえ歩けなくても歩行類似動作を通して、寝たきり状態の改善やストレスの発散に役立つことができる。
さらに、歩くことはできるが足腰が痛い等の理由を抱える人達にとっても、体重の負荷をぐんと軽くした状態で足振り運動や足踏み運動、下肢挙上の姿勢等が可能な、健康器具として役立つことができる。
【００１３】
また、請求項２記載の考案においては、歩行類似動作を行う際、また、自分では動かせず介助の手を借りて他動的に下肢の動作を行う際に、備えられた歩数計が運動量の目安となり励みとなって運動の継続を助け、使用者層の広い、一層実用性に優れたリハビリ支援おむつ交換補助具としての効果を発揮することができる。
【００１４】
また、請求項３記載の考案においては、脚部に設けた車輪によって移動できるために、介護施設や病院内等での共用が容易になり、家庭内での用途だけでなく、公共的な場での用途にも適するリハビリ支援おむつ交換補助具として活用することができる。
【考案を実施するための最良の形態】
【００１５】
図に基づいて、本考案の一実施形態を説明する。
図１(斜視図)に示されたリハビリ支援おむつ交換補助具１は、概略構成として、脚部２と、脚部２に立設した固定支柱３と、固定支柱３に、シリンダ装置４を介して昇降自在に設けられた昇降支柱５と、昇降支柱５の上部位置に片持ち状態で支持され実質的に水平方向へ延びた支持アーム６と、支持アーム６に外嵌された脚保持部８と、脚保持部の長軸の端部側に設けられた上方に凸状の落下止め９とを有するものである
【００１６】
前記脚部２は、長尺の胴部２dと、該胴部の両端部に車輪保持部２b、２cを有する。
しかし、脚部の形状や車輪の数は、他の構成も可能であり、その際、安定性を旨とする。
脚部２は、低床ベッドの下の低い空間にも挿入可能にするため、車輪保持部２b、２cの、車輪取り付け個所を上下に薄くしたりして、車輪接地部から脚部上面までの高さを低く抑えることも可能である。
前記車輪保持部２cの中央上面に、固定支柱３を立設する。
昇降支柱５は、固定支柱３と円柱面で接してスライドすると、長軸に沿って回転が可能なので、安定性上、回転を生じない略角筒状、平面略楕円状の円筒、または、それらを組み合わせた形状で接し合うと良い。
前記昇降支柱５を昇降駆動するシリンダ装置４は、支柱内に配設することができ、駆動力として、ガス圧、油圧、バネ圧等を単独または組み合わせて利用でき、その一つとしてガス圧と油圧を用いたガスシリンダも知られている。
なお、シリンダ装置４に塵埃が入り込まぬよう、そして、安全上、固定支柱３から昇降支柱５にかけてカバーで被うのが好ましい(図では省略)。
昇降調節装置としては、手を用いずに操作可能なフットペダル１３が、介護者にとって最も便利だが、おむつ交換補助具でなく、健康器具としてのみ用いるなどの用途や対象によっては、ハンドレバーのように手で操作する昇降調節装置とすることも可能である。
前記昇降支柱５の上部位置に支持された支持アーム６は、昇降支柱５の上端または、その上方から実質的に水平方向へ延び、昇降支柱５とともに昇降する。
また、支持アーム６は、安定性と安全性のため、昇降支柱との間で回動や振動を生じないことが望ましい。
しかし、歩行類似動作による振動を拡大して歩数計７のセンサが感知しやすいようにする目的の範囲内で、わずかに回動や振動を可能にする取り付けとすることも可能である。
前記支持アーム６に外嵌された脚保持部８は、素肌で載置された脚が痛くないように、そして冷たくないように、ポリウレタン系などの、緩衝材で形成されるのが良い。
ゴム系の緩衝剤は丈夫だが、冬でなく秋口でさえ素肌に冷感を与え続け、患者が嫌がって動くので、毛糸で厚く編んだカバーが緩衝材に必要となるほどである。
また、脚保持部８は、下方に孤状の凹部を１対備えて、患者の両膝や股間が密着しにくい距離を保つ形状をなし、股間の清拭を容易にするが、変形例を、実施例の項で説明する。
脚保持部８の長軸の少なくとも一方の端部側には、一体形成、もしくは別形成され上向きに突出した凸状をなす落下止め９を有す。
落下止め９は、支持アーム先端部１０に近接した側のみに設けることもできるが、脚保持部８の長軸の両端部側に設けるのが、安全上望ましい。
落下止め９は、上向きに突出した凸状であって、脚保持部８に載置された下肢の落下を、通常の使用法において防止する設置位置と形状と強度を備えることが、請求項１の要件を満たすものである。
支持アーム先端部１０は、もし体に当たっても、その力を緩和するように、周囲を緩衝材で被う。
【００１７】
歩数計７の本体は支持アーム上面に立設するのが便利であり、センサを内蔵または外付けで備える。下肢の反復動作を感知するセンサには、加速度センサ、振動センサ等が知られている。歩数計７は、手元で数値を見る一般の歩数計よりサイズを大きくし、文字の表示も大きくする。
また、歩数計７は、歩数以外に、運動所要時間、歩行距離などを表示してもよい。
歩数計７には、歩行類似動作の運動量を歩行距離として表示するための歩幅の設定や、センサ感度の選択などの設定機能を設けることもできる。
さらに、リハビリ支援おむつ交換補助具を患者の左右どちらから配置しても、歩数計７の文字表示面は、患者の顔の側に向けることができ、そのために、歩数計７は上下の縦軸を中心に１８０度回旋可能に設けてもよい。
【００１８】
車輪１１は、取付高が低くて低床ベッドの下にも挿入可能で、且つ、車輪の幅が広くて安定した形状のキャスタが望ましい。
車輪１１の移動を制止するストッパ１２は、車輪の回転固定と旋回固定を同時に行うストッパが一般に知られている。
ストッパ１２は、車輪１１に設置されたものであるが、脚部２に設置するストッパも知られている。
【００１９】
図２(側面図)と図３(使い方説明図１)に基づいて、本考案のリハビリ支援おむつ交換補助具１の、おむつ交換における使用法を示す。
介護者は、おむつ交換ができるように患者１５の着衣の一部を開けておき、支持アーム先端部１０が、仰臥する患者の膝の横付近にくるように、リハビリ支援おむつ交換補助具１をベッドの横に配置する。
次に、患者の膝裏に手を差し入れて、その膝を屈曲(立て膝)させ、支持アーム６を患者の膝裏と寝具上面１４との間の空間に挿入し、前記膝裏に脚保持部８を配置する。
その際に、支持アーム６を容易に挿入できるよう、患者の下腿を手で少し持ち上げても良い。なお、支持アーム６を寝具上面１４に沿って寝具の幅方向へ挿入すると同時に、脚部２はベッドの下に、同方向へ挿入されて行く。
次に、片足でフットペダル１３を踏んで昇降支柱５を上昇させ、患者１５の臀部が寝具上面１４からやや浮上した位置で止める。浮上した臀部の下に介護者が手を差し入れて拭きやすい空間があれば良い。
なお、フットペダル１３を踏む時には、上昇力の補助と安全性のために、手で患者１５の下腿を保持し、患者１５の不意の動きに備えつつ踏むのがよい。
次に、支柱側の車輪２個の各ストッパ１２をかけてから、ベッドの反対側に行き、患者１５のおむつを外し、臀部や股間を清め、おむつ交換をする。
ベッドの横の、おむつ交換する位置に関しては、本考案の器具配置の反対側が、おむつ交換しやすいが、器具配置の側で行うこともできる。
なお、患者の臀部を寝具上面から浮上させることにより、おむつかぶれや、床ずれ、痔などを早く発見し早く対処するというメリットもある。
寝たきりの老人は、排便する力が衰え、便秘しやすいが、下肢を屈曲・挙上した姿勢をとることによって、排便を促し、残っている便を出させる効果が見られる。
おむつ交換後、ベッドの反対側に戻り、患者１５の下腿を手で保持し、下降力の補助と安定性を保ちつつ、片足でフットペダル１３を踏んで患者１５の臀部を寝具上面１４に降ろす。
支持アーム６を更に下げてフットペダル１３から足を離し、次に各ストッパ１２を解除して、本考案の器具を当初の位置に戻し、患者１５の着衣を整える。
【００２０】
図４(使い方説明図２)に基づいて、本考案のリハビリ支援おむつ交換補助具１の、リハビリ的な使用法を示す。
歩行類似動作は、大便処理の直後でなく、小便処理の後などが良く、換気状態に注意して行われる。
歩行類似動作をする時の患者の姿勢は、上記おむつ交換の時と少し異なり、患者１５の臀部が、寝具上面１４から浮上せず寝具上面１４に置かれた状態である。
また、仰臥位に限らず、介護ベッドで患者の上半身を起こしかけた半座位(半仰臥位)でも下記のように行うことができる。半座位は、仰臥位から上半身が４５度起きた姿勢を指すこともあるが、約４５度前後を含めて、背後で体重が支えられた楽な姿勢で良い。
患者１５は、脚保持部８に載置した下肢が、上昇され屈曲状態で支持された状態にて、膝を中心に下腿を前後に振る屈伸運動を、左右交互に行い、その歩行類似動作により、筋肉ポンプが血液やリンパ液の循環を促進し、脚のむくみを予防する。
下肢の動きは、小さな反復動作であっても良く、介助の手を借りた他動運動でも良い。
また、足踏み動作のように、左右交互に膝を胸の方に引き寄せることも応用動作として可能であり、水中歩行動作のように、下肢の様々な動きを行うこともできる。
寝たきりになって、坂道を転げ落ちるように体力・気力が失せて行く前に、まず、足元からの見直しと、身近な一歩からの改善手段が大切である。
患者と介護者が、簡単にあきらめ、見切りをつけてしまうことのないように。
【実施例１】
【００２１】
本考案のリハビリ支援おむつ交換補助具１aの図５(斜視図)、図６(側面図)、図７(使い方説明図)に基づいて、実施例１を説明する。脚部２aは、全高が比較的低く、車輪やストッパを備えず、滑りやすい表面素材を用い、床に敷かれた布団やマットレスの下に挿入することが容易な構成である。
この構成は、患者がベッドを使用していない場合に適するものであり、固定支柱３aと昇降支柱５aは、ベッド用より低い全高で済む。
脚部２aを着脱と交換可能にし、布団用とベッド用を兼用した構成とすることも可能であるが、布団用には、図５〜図７のような布団専用の器具が、取り扱い易い。
【実施例２】
【００２２】
図８(側面図)に基づいて、実施例２である本考案の脚保持部８bの説明をする。
略円柱状の脚保持部８bの両端部側に、上向きに突出した凸状をなす落下止め９bを設けたものであり、下方に孤状の凹部を持つ脚保持部８よりも、形成が容易な形状である。
また、図８のように支持アーム６bの先端部まで落下止め９bで被うこともでき、それにより、脚保持部の長軸が長くなり、下肢の運動範囲が側方に広くなる。
なお、図８のように脚保持部８bの表面に半円球状等の突起を複数設けることもでき、脚が滑ることを防止するとともに、指圧効果を目的とするものである。
【実施例３】
【００２３】
図９(側面図)に基づいて、実施例３である本考案の脚保持部８cの説明をする。
脚保持部８cと落下止め９cは、一体形成でなく、別個に形成することも可能な一つの例である。
【実施例４】
【００２４】
図１０(側面図)に基づいて、実施例４である本考案の脚保持部８dの説明をする。
支持アーム６の変形例である支持アーム６dに、下方に孤状の凹部を設け、脚保持部８dを外嵌した構成である。支持アーム上面の弯曲に並行して、支持アーム下面も湾曲させることも可能である。
【産業上の利用可能性】
【００２５】
本考案のリハビリ支援おむつ交換補助具は、在宅介護支援の一環として利用できる。
また、病院や介護施設等の備品として、介護者の身体的負担を軽減するとともに、丁寧な清拭を容易にし、患者の排泄に伴う衛生状態の改善に貢献できる。
また、歩行類似動作に伴うメリットを活かし、心身の状態を改善する健康器具としても活用できる。
よって、従来の簡便なシリンダ装置、歩数計測装置、キャスタ、ストッパ等の優秀な物品の形状、構造又は新たな組み合わせにおいて、身近な実用性への活路を、新たにもたらすことができる。
【図面の簡単な説明】
【００２６】
【図１】本考案の一形態であるリハビリ支援おむつ交換補助具１の斜視図
【図２】本考案の一形態であるリハビリ支援おむつ交換補助具１の側面図
【図３】本考案の一形態であるリハビリ支援おむつ交換補助具１の使い方説明図１
【図４】本考案の一形態であるリハビリ支援おむつ交換補助具１の使い方説明図２
【図５】本実施例１におけるリハビリ支援おむつ交換補助具１aの斜視図
【図６】本実施例１におけるリハビリ支援おむつ交換補助具１aの側面図
【図７】本実施例１におけるリハビリ支援おむつ交換補助具１aの使い方説明図
【図８】本実施例２における脚保持部８bの側面図
【図９】本実施例３における脚保持部８cの側面図
【図１０】本実施例４における脚保持部８dの側面図
【符号の説明】
【００２７】
１,  １a  リハビリ支援おむつ交換補助具
２,  ２a  脚部
２b,  ２c  車輪保持部
２d  胴部
３,  ３a  固定支柱
４  シリンダ装置
５,  ５a  昇降支柱
６,  ６b,  ６c,  ６d   支持アーム
７  歩数計
８,  ８b,  ８c,  ８d   脚保持部
９,  ９b,  ９c,  ９d   落下止め
１０  支持アーム先端部
１１  車輪
１２  ストッパ
１３  フットペダル
１４  寝具上面
１５  患者
【図１】
0003115283.tif 000003
【図２】
0003115283.tif 000004
【図３】
0003115283.tif 000005
【図４】
0003115283.tif 000006
【図５】
0003115283.tif 000007
【図６】
0003115283.tif 000008
【図７】
0003115283.tif 000009
【図８】
0003115283.tif 000010
【図９】
0003115283.tif 000011
【図１０】
0003115283.tif 000012
【手続補正書】
【提出日】平成17年8月3日(2005.8.3)
【手続補正１】
【補正対象書類名】実用新案登録請求の範囲
【補正対象項目名】請求項２
【補正方法】変更
【補正の内容】
【請求項２】
仰臥位、又は半座位(半仰臥位)等にある患者等において、前記脚保持部に屈曲状態で載置され上昇された下肢が、空中で保持され屈伸運動を反復した時、該屈伸運動を歩行動作とみなして歩数を表示するための歩数計を備えたことを特徴とする、請求項１記載のリハビリ支援おむつ交換補助具。
【手続補正２】
【補正対象書類名】明細書
【補正対象項目名】０００２
【補正方法】変更
【補正の内容】
【０００２】
おむつ交換においては、おむつ交換を必要とする患者や被介護者等(以下、代表して患者と言う)を横臥位にさせて排泄物の処理をする昔ながらの方法が一般的であり、コツも体力も必要である。
看護や介護がらみの悲劇が繰り返される昨今、おむつ交換を容易にする補助具が、切実に必要とされている。
また、歩行補助具を使っても歩けず、寝たきり状態であっても、暑くて布団を蹴飛ばすなど、脚を動かすことができる患者もいるが、残された脚力を活かす機会は、殆ど無いに等しい現実がある。
【手続補正３】
【補正対象書類名】明細書
【補正対象項目名】０００８
【補正方法】変更
【補正の内容】
【０００８】
本考案は、床ずれ防止エアマットや介護ベッドを使用する場合には、それらとの併用を容易にし、デリケートな介護用品に硬い器具を載せたり取り付けたりすることなく、ベッドや布団の上からロープ類を吊すことなく、昇降自在で、不使用時にも自立する器具であって、また、たとえ、歩くことは全くできなくても、仰臥位や半座位(半仰臥位)等で歩行類似動作が可能な人達の、残された可能性を活かして、クオリティ・オブ・ライフを高める運動療法面のリハビリを支援するおむつ交換補助具の提供を課題とする。
【手続補正４】
【補正対象書類名】明細書
【補正対象項目名】００１０
【補正方法】変更
【補正の内容】
【００１０】
また、仰臥位、又は半座位(半仰臥位)等にある患者等において、前記脚保持部に屈曲状態で載置され上昇された下肢が、空中で保持され屈伸運動を反復した時、該屈伸運動を歩行動作とみなして歩数を表示するための歩数計を備えたことを特徴とする、請求項１記載のリハビリ支援おむつ交換補助具に係るものである。
【手続補正５】
【補正対象書類名】明細書
【補正対象項目名】００１５
【補正方法】変更
【補正の内容】
【００１５】
図に基づいて、本考案の一実施形態を説明する。
図１(斜視図)に示されたリハビリ支援おむつ交換補助具１は、概略構成として、脚部２と、脚部２に立設した固定支柱３と、固定支柱３に、シリンダ装置４を介して昇降自在に設けられた昇降支柱５と、昇降支柱５の上部位置に片持ち状態で支持され実質的に水平方向へ延びた支持アーム６と、支持アーム６に外嵌された脚保持部８と、脚保持部８の長軸の端部側に設けられた、上方に凸状の落下止め９とを有するものである。
【手続補正６】
【補正対象書類名】明細書
【補正対象項目名】００１６
【補正方法】変更
【補正の内容】
【００１６】
前記脚部２は、長尺の胴部２dと、該胴部の両端部に車輪保持部２b、２cを有する。
しかし、脚部の形状や車輪の数は、他の構成も可能であり、その際、安定性を旨とする。
脚部２は、低床ベッドの下の低い空間にも挿入するため、車輪保持部２b、２cの、車輪取り付け個所を上下に薄くするなど、車輪接地部から脚部上面までの高さを低く抑えることも可能である。
前記車輪保持部２cの中央上面に、固定支柱３を立設する。
昇降支柱５は、固定支柱３と円柱面で接してスライドすると、長軸に沿って回転が可能なので、安定性上、回転を生じない略角筒状、平面略楕円状の円筒、または、それらを組み合わせた形状で接し合うと良い。
前記昇降支柱５を昇降駆動するシリンダ装置４は、支柱内に配設することができ、駆動力として、ガス圧、油圧、バネ圧等を単独または組み合わせて利用でき、その一つとしてガス圧と油圧を用いたガスシリンダも知られている。
なお、シリンダ装置４に塵埃が入り込まぬよう、そして、安全上、固定支柱３から昇降支柱５にかけてカバーで被うのが好ましい(図では省略)。
昇降調節装置としては、手を用いずに操作可能なフットペダル１３が、介護者にとって最も便利だが、おむつ交換補助具でなく、健康器具としてのみ用いるなどの用途や対象によっては、ハンドレバーのように手で操作する昇降調節装置とすることも可能である。
前記昇降支柱５の上部位置に支持された支持アーム６は、昇降支柱５の上端または、その上方から実質的に水平方向へ延び、昇降支柱５とともに昇降する。
また、支持アーム６は、安定性と安全性のため、昇降支柱との間で回動や振動を生じないことが望ましい。
しかし、歩行類似動作による振動を拡大して歩数計７のセンサが感知しやすいようにする目的の範囲内で、わずかに回動や振動を可能にする取り付けとすることも可能である。
前記支持アーム６に外嵌された脚保持部８は、素肌で載置された脚が痛くないように、そして冷たくないように、ポリウレタン系などの、緩衝材で形成されるのが良い。
ゴム系の緩衝材は丈夫だが、冬でなく秋口でさえ素肌に冷感を与え続け、患者が嫌がって動くので、毛糸で厚く編んだカバーが緩衝材に必要となるほどである。
また、脚保持部８は、下方に孤状の凹部を１対備えて、患者の両膝や股間が密着しにくい距離を保つ形状をなし、股間の清拭を容易にするが、変形例を、実施例の項で説明する。
脚保持部８の長軸の少なくとも一方の端部側には、一体形成、もしくは別形成され上向きに突出した凸状をなす落下止め９を有す。
落下止め９は、支持アーム先端部１０に近接した側のみに設けることもできるが、脚保持部８の長軸の両端部側に設けるのが、安全上望ましい。
落下止め９は、上向きに突出した凸状であって、脚保持部８に載置された下肢の落下を、通常の使用法において防止する設置位置と形状と強度を備えることが、請求項１の要件を満たすものである。
支持アーム先端部１０は、もし体に当たっても、その力を緩和するように、周囲を緩衝材で被う。
【手続補正７】
【補正対象書類名】明細書
【補正対象項目名】００２０
【補正方法】変更
【補正の内容】
【００２０】
図４(使い方説明図２)に基づいて、本考案のリハビリ支援おむつ交換補助具１の、リハビリ的な使用法を示す。
歩行類似動作は、大便処理の直後でなく、小便処理の後などが良く、換気状態に注意して行われる。
歩行類似動作をする時の患者の姿勢は、上記おむつ交換の時と少し異なり、患者１５の臀部が、寝具上面１４から浮上せず寝具上面１４に置かれた状態である。
また、仰臥位に限らず、介護ベッドで患者の上半身を起こしかけた半座位(半仰臥位)等でも下記のように行うことができる。半座位は、仰臥位から上半身が４５度起きた姿勢を指すこともあるが、約４５度前後を含めて、背後で体重が支えられた楽な姿勢で良い。
患者１５は、脚保持部８に載置した下肢が、上昇され屈曲状態で支持された状態にて、膝を中心に下腿を前後に振る屈伸運動を、左右交互に行い、その歩行類似動作により、筋肉ポンプが血液やリンパ液の循環を促進し、脚のむくみを予防する。
下肢の動きは、小さな反復動作であっても良く、介助の手を借りた他動運動でも良い。
また、足踏み動作のように、左右交互に膝を胸の方に引き寄せることも応用動作として可能であり、水中歩行動作のように、下肢の様々な動きを行うこともできる。
寝たきりになって、坂道を転げ落ちるように体力・気力が失せて行く前に、まず、足元からの見直しと、身近な一歩からの改善手段が大切である。
患者と介護者が、簡単にあきらめ、見切りをつけてしまうことのないように。
【手続補正８】
【補正対象書類名】明細書
【補正対象項目名】００２２
【補正方法】変更
【補正の内容】
【００２２】
図８(側面図)に基づいて、実施例２である本考案の脚保持部８bの説明をする。
略円柱状の脚保持部８bの両端部側に、上向きに突出した凸状をなす落下止め９bを設けたものであり、下方に孤状の凹部を持つ脚保持部８よりも、形成が容易な形状である。
また、図８のように支持アーム６bの先端部も落下止め９bで被うことができ、それにより、脚保持部の長軸が長くなり、下肢の運動範囲が側方に広くなる。
なお、図８のように脚保持部８bの表面に半円球状等の突起を複数設けることもでき、脚が滑ることを防止するとともに、指圧効果を目的とするものである。
【手続補正書】
【提出日】平成17年8月18日(2005.8.18)
【手続補正１】
【補正対象書類名】実用新案登録請求の範囲
【補正対象項目名】請求項１
【補正方法】変更
【補正の内容】
【請求項１】
脚部と、該脚部に立設した固定支柱と、該固定支柱に、シリンダ装置を介して昇降自在に設けられた昇降支柱と、該昇降支柱の上部位置に片持ち状態で支持されて実質的に水平方向へ延びた支持アームと、該支持アームに外嵌され患者等の膝の裏側に接する脚保持部と、該脚保持部の長軸の少なくとも一方の端部側に一体形成、又は別形成されて上向きに突出した凸状をなす落下止めとを具備し、前記脚保持部は、仰臥位にある患者等の屈曲した膝（立て膝）の裏と寝具上面との間に、該寝具の側面から挿入配置されて、前記支持アーム及び前記昇降支柱を介して上昇されることによって、前記患者等の下肢を屈曲状態に支持したまま前記患者等の臀部を前記寝具上面から浮上させることができるとともに、前記下肢の落下を前記落下止めの上向きに凸状の突起が防止するようにしたことを特徴とする、リハビリ支援おむつ交換補助具。
【手続補正２】
【補正対象書類名】明細書
【補正対象項目名】０００９
【補正方法】変更
【補正の内容】
【０００９】
本考案は、前記課題を解決するため、以下の構成とした。
すなわち、本考案のリハビリ支援おむつ交換補助具は、脚部と、該脚部に立設した固定支柱と、該固定支柱に、シリンダ装置を介して昇降自在に設けられた昇降支柱と、該昇降支柱の上部位置に片持ち状態で支持されて実質的に水平方向へ延びた支持アームと、該支持アームに外嵌され患者等の膝の裏側に接する脚保持部と、該脚保持部の長軸の少なくとも一方の端部側に一体形成、又は別形成されて上向きに突出した凸状をなす落下止めとを具備し、前記脚保持部は、仰臥位にある患者等の屈曲した膝（立て膝）の裏と寝具上面との間に、該寝具の側面から挿入配置されて、前記支持アーム及び前記昇降支柱を介して上昇されることによって、前記患者等の下肢を屈曲状態に支持したまま前記患者等の臀部を前記寝具上面から浮上させることができるとともに、前記下肢の落下を前記落下止めの上向きに凸状の突起が防止するようにしたことを特徴とする、リハビリ支援おむつ交換補助具に係るものである。
【手続補正３】
【補正対象書類名】明細書
【補正対象項目名】００１２
【補正方法】変更
【補正の内容】
【００１２】
本考案は、上記の構成により、課題であった床ずれ防止エアマットや介護ベッドを使用する場合の併用が一層容易になり、また、たとえ歩けなくても歩行類似動作を通して、寝たきり状態の改善やストレスの発散に役立つことができる。
さらに、歩くことはできるが足腰が痛い等の理由を抱える人達にとっても、体重の負荷をぐんと軽くした状態で足振り運動や足踏み運動、下肢挙上の姿勢等が可能な、健康器具として役立つことができる。